(57)【要約】      （修正有）【課題】遊技機及び遊技媒体貸機からの補給要求が無いときには水平搬送装置および研磨・揚送装置を稼動停止状態に制御することによって装置の耐久性向上、電力消費量・ランニングコスト・騒音の低下が図られた遊技媒体補給システムを提供する。【解決手段】複数の遊技機２及び遊技媒体貸機３と水平搬送装置４と上部貯留タンク５と残余遊技媒体の貯溜・搬送装置６と研磨・揚送装置７と遊技媒体供給のための制御手段８とを備えた遊技媒体補給システム１００であって、前記制御手段８は、前記遊技機２又は遊技媒体貸機３の少なくとも一方の遊技媒体取入れに補給要求検出器８１を配設するとともに、該補給要求検出器８１からの補給要求信号により前記水平搬送装置４と研磨・揚送装置７とを稼動させた。【選択図】図１
2008142216.tif 000002
【特許請求の範囲】
【請求項１】
複数並設された遊技機ならびに遊技媒体を貸出する遊技媒体貸機と、
前記遊技機と遊技媒体貸機の上部に配設され、それらへ遊技媒体を搬送する水平搬送装置と、
前記水平搬送装置に遊技媒体を供給する上部貯留タンクと、
前記遊技機と遊技媒体貸機の下部に配設された、残余遊技媒体の貯溜・搬送装置と、
前記貯溜・搬送装置から供給された残余遊技媒体を上部貯留タンクに研磨・揚送する研磨・揚送装置と、
前記遊技機と遊技媒体貸機への遊技媒体の供給を制御する制御手段を備えた遊技媒体補給システムであって、
前記制御手段は、前記遊技機と遊技媒体貸機の少なくとも一方の遊技媒体取り入れ側に補給要求検出器を配設するとともに、該補給要求検出器からの補給要求信号により、前記水平搬送装置と研磨・揚送装置とを稼動させた
ことを特徴とする、遊技媒体補給システム。
【請求項２】
前記制御手段は、上部貯留タンクに遊技媒体の貯留量を検出する貯留量検出器を配設し、該補給要求検出器からの補給要求信号の受信時に、前記貯留量検出器の貯留量検出信号を確認して、上部貯留タンクに所定量の遊技媒体が貯留されている間は、前記水平搬送装置を先行稼動し、上部貯留タンクに貯留されている遊技媒体が所定量を割ったときに発信される前記貯留量検出器の信号により、研磨・揚送装置を稼動させた
ことを特徴とする、請求項１に記載の遊技媒体補給システム。
【請求項３】
前記制御手段は、前記残余遊技媒体の貯溜・搬送装置に貯留上限を検出する上限検出器を配設するとともに、該上限検出器の信号により、前記水平搬送装置と研磨・揚送装置との停止時にあっても少なくとも研磨・揚送装置を稼動させた
ことを特徴とする、請求項１および請求項２に記載の遊技媒体補給システム。
【発明の詳細な説明】
【技術分野】
【０００１】
本発明は、複数並設された遊技機ならびに遊技媒体貸機から補給要求が有ったときにのみ、水平搬送装置を稼動して、遊技機ならびに遊技媒体貸機の少なくとも一方に遊技媒体、特に、パチンコ玉を供給することができる遊技媒体補給システムに関する。
【背景技術】
【０００２】
一般的に、遊技場には、遊技機島と呼ばれている島が複数設置されている。この遊技機島は、多数の遊技機と遊技媒体貸機を並列に配設するとともに、この遊技機と遊技媒体貸機の上部に上部貯留タンクと遊技媒体を水平方向に搬送する水平搬送装置を配設している。また、これらの遊技機と遊技媒体貸機の下部には、残余遊技媒体を貯留・搬送するための貯溜・搬送装置が設置されている。そして、水平搬送装置と貯溜・搬送装置との間をエンドホースと研磨・揚送装置で連絡させて、遊技媒体を前述の上部貯留タンク→水平搬送装置→エンドホース→貯溜・搬送装置→研磨・揚送装置→上部貯留タンクとの間で循環させている。一方、遊技機に供給された遊技媒体の一部も貯溜・搬送装置に合流され、研磨・揚送装置→上部貯留タンクへ搬送されている。
【０００３】
しかしながら、上述したように、水平搬送装置を使用して、遊技媒体を遊技機島の内部に循環させる方法としては、例えば、特開平６−３９１３６（特許文献１）の様に、水平搬送装置に搬送ベルトを使用する方法、弊社出願の特開２００５−１２５０２９（特許文献２）の様に、水平搬送装置として、回転ディスクを使用する方法が知られている。
【０００４】
このような方法の遊技媒体補給システムでは、遊技媒体を遊技機または遊技媒体貸機に補給するためには、水平搬送装置を常時稼動しておく必要がある。また、併せて水平搬送装置まで遊技媒体を揚送するための研磨・揚送装置も連動して稼動させる必要があった。
【０００５】
また、特開平９−２３９１３６（特許文献３）には、遊技機島の上部に研磨揚送装置で搬送された遊技媒体を傾斜した配給樋を介して遊技機に供給する構成が開示されている。そして、この発明では、配給樋の内部に貯留されている遊技媒体の量によって、前述の研磨揚送装置を制御する構成が開示されている。
【０００６】
この出願の発明に関連する先行技術文献としては次のものがある。
【特許文献１】特開平６−３９１３６
【特許文献２】特開２００５−１２５０２９
【特許文献３】特開平９−２３９１３６
【非特許文献１】なし
【発明の開示】
【発明が解決しようとする課題】
【０００７】
しかしながら、水平搬送装置を使用した場合には、水平搬送装置の内部に供給された遊技媒体は、特開平９−２３９１３６（特許文献３）に開示されている様に、傾斜した配給樋の内部に下方から重積された状態で貯留されている遊技媒体に対して、水平搬送装置の内部の遊技媒体は、ベルトや回転ディスク上に散乱した状態にあるため、その量を検出するのは困難であり、従って、水平搬送装置を制御することができず、常時、稼動させる結果となり、装置の耐久性、電力消費量の増加、騒音の発生などに問題が生じていた。このことは、当然、研磨・揚送装置も連動して稼動されるため、その問題点はより大きなことになって来ている。
【０００８】
本発明は、上記の従来技術が有する問題を解決するためになされたものであり、その目的は、水平搬送装置ならびに研磨・揚送装置を遊技機または遊技媒体貸機の補給要求に応じて稼動させ、補給要求の無いときには、稼動を停止させた状態に制御することによって、装置の耐久性向上、電力消費量の低減、ランニングコストの低下、騒音の低下など問題の少ない遊技媒体補給システムを提供するものである。
【課題を解決するための手段】
【０００９】
上記課題を解決するため、本発明においては、複数並設された遊技機ならびに遊技媒体を貸出する遊技媒体貸機と、前記遊技機と遊技媒体貸機の上部に配設され、それらへ遊技媒体を搬送する水平搬送装置と、前記水平搬送装置に遊技媒体を供給する上部貯留タンクと、前記遊技機と遊技媒体貸機の下部に配設された、残余遊技媒体の貯溜・搬送装置と、前記貯溜・搬送装置から供給された残余遊技媒体を上部貯留タンクに研磨・揚送する研磨・揚送装置と、前記遊技機と遊技媒体貸機への遊技媒体の供給を制御する制御手段を備えた遊技媒体補給システムであって、前記制御手段は、前記遊技機と遊技媒体貸機の少なくとも一方の遊技媒体取り入れ側に補給要求検出器を配設するとともに、該補給要求検出器からの補給要求信号により、前記水平搬送装置と研磨・揚送装置とを稼動させたものである。
【００１０】
上記のように構成することにより、水平搬送装置と研磨・揚送装置などの装置の耐久性が向上し、かつ、電力消費量も減少し、ランニングコストも低減する。また、装置の稼動時間の短縮により騒音の発生も低下するなど効果を得ることができる。
【００１１】
次の発明は、前記制御手段は、上部貯留タンクに遊技媒体の貯留量を検出する貯留量検出器を配設し、該補給要求検出器からの補給要求信号の受信時に、前記貯留量検出器の貯留量検出信号を確認して、上部貯留タンクに所定量の遊技媒体が貯留されている間は、前記水平搬送装置を先行稼動し、上部貯留タンクに貯留されている遊技媒体が所定量を割ったときに発信される前記貯留量検出器の信号により、研磨・揚送装置を稼動させたものである。
【００１２】
このことにより、水平搬送装置を先行して稼動させることによって、研磨・揚送装置の耐久性向上、ならびに水平搬送装置と研磨・揚送装置などの稼動による騒音を低く抑えることができる。しかも、水平搬送装置を先行して稼動させることによって、遊技機などからの補給要求に素早く対応することができる。
【００１３】
次の発明は、前記制御手段は、前記残余遊技媒体の貯溜・搬送装置に貯留上限を検出する上限検出器を配設するとともに、該上限検出器の信号により、前記水平搬送装置と研磨・揚送装置との停止時にあっても少なくとも研磨・揚送装置を稼動させたものである。
【００１４】
このことにより、遊技機などから補給要求がない状態、即ち、水平搬送装置と研磨・揚送装置とが停止時状態であっても、アウトレール内の遊技媒体が増加して、遊技機などからの残余遊技媒体の取り入れに障害が生じる恐れがある場合には、研磨・揚送装置のみを先行して稼動させることにより、残余遊技媒体の取り入れによる障害を回避することができ、しかも、その状態においても、必要最小限の装置を稼動させることによるため、水平搬送装置と研磨・揚送装置などの耐久性の向上、消費電力の節減、騒音の低下などが期待できる。
【発明の効果】
【００１５】
以上のように、本発明によれば、水平搬送装置ならびに研磨・揚送装置を遊技機または遊技媒体貸機の補給要求に応じて稼動させ、補給要求の無いときには、稼動を停止させた状態に制御することによって、装置の耐久性向上、電力消費量の低減、ランニングコストの低下、騒音の低下など問題の少ない遊技媒体補給システムを得ることができる。
【発明を実施するための最良の形態】
【００１６】
以下、本発明を実施するための最良の形態を、図面に基づいて説明する。図１は、本発明の遊技媒体循環システムを示した正面図、図２は、同上面図、図３は、要部斜視図、図４は、本発明の別の実施例を示した斜視図、図５は、補給要求検出器の検出フローを示したフローチャート図、図６は、上限検出器の検出フローを示したフローチャート図である。
【００１７】
本発明の遊技媒体補給システム１００は、遊技機島１と該遊技機島１の途中に立設された研磨・揚送装置７と、研磨・揚送装置７の上部の上段ユニット１１上に配設された上部貯留タンク５と、該遊技機島１の上段ユニット１１の内部に配設された水平搬送装置４と、遊技機島１の中段ユニット１２に複数並設された遊技機２と遊技媒体貸機３ならびに下段ユニット１３の内部に配設された貯溜・搬送装置６および研磨・揚送装置７と水平搬送装置４の稼動を制御する制御手段８とを備えている。
【００１８】
遊技機島１は、遊技機島１の途中に立設された研磨・揚送装置７を境に左右に分割されている。（以下、図１において、研磨・揚送装置７とその左側の構成を中心として説明する。）
【００１９】
該遊技機島１は、途中に研磨・揚送装置７を立設しており、その研磨・揚送装置７を境に左右に分割されている。以下、左側の構成（説明上、遊技機島１Ｌ、反対の右側を遊技機島１Ｒと呼ぶ）で説明する。遊技機島１Ｌは、各々枠組みされた上段ユニット１１と中段ユニット１２ならびに下段ユニット１３の三層構造をなしている。そして、上段ユニット１１の内部には水平搬送装置４が配設され、中段ユニット１２には、複数の遊技機２と遊技媒体貸機３が交互に配設されている。また、下段ユニット１３には、残余遊技媒体９を貯留・搬送するための貯溜・搬送装置６が配設されている。尚、残余遊技媒体９とは、水平搬送装置４で搬送された遊技媒体の内、遊技機２および遊技媒体貸機３に供給される遊技媒体以外の遊技媒体を総称したもので、水平搬送装置４の島端側から貯溜・搬送装置６に流下する遊技媒体、遊技機２から貯溜・搬送装置６に流下する遊技媒体、上部貯留タンク５から流下するオーバフローした遊技媒体ならびに当初から貯溜・搬送装置６に貯留されている遊技媒体などである。
【００２０】
上段ユニット１１の内部に配設された水平搬送装置４を、弊社が先に出願した特許文献２（特開２００５−１２５０２９）に示した回転ディスクを用いた構造で説明するが、特許文献１（特開平６−３９１３６）に示されているようなコンベアを用いてもよい。この水平搬送装置４は、上段ユニット１１の内部に上段ユニット１１の上部に設けられた上部貯留タンク５と遊技機島１Ｌの島端までの間に架設されている。そして、上部貯留タンク５から供給された遊技媒体を島端まで搬送している。この搬送途中で遊技媒体を必要に応じて、遊技機２と遊技媒体貸機３に供給している。
【００２１】
図３は、水平搬送装置４の要部を示したもので、水平搬送装置４は、断面凹形状の搬送レール４１と、この搬送レール４１の底壁４１ａに設けられた回転ディスク４２と、搬送レール４１の側壁４１ｂに配設された補給シュート４３と、回転ディスク４２の上面に固着されたガイド４４とを備えている。そして、前述の補給シュート４３は、側壁４１ｂに形成された切り欠き４１ｃによって、搬送レール４１の凹部内と連通している。一方、補給シュート４３の遊技媒体の排出側には、制御手段の補給要求検出器８１が取り付けられている。この補給要求検出器８１は、例えば、リミットスイッチであり、遊技媒体が少なくなった時点（排出側に存在しなくなった時点）でＯＮされ、補給要求信号を発信する。この信号によって、水平搬送装置４ならびに研磨・揚送装置７が稼動して遊技媒体を遊技機２と遊技媒体貸機３に供給する。尚、４５は、蛇腹管であって、水平搬送装置４と、遊技機２と遊技媒体貸機３とを連絡するものであって、この蛇腹管４５を通過して遊技機２、遊技媒体貸機３のそれぞれに遊技媒体が供給される。
【００２２】
中段ユニット１２も上段ユニット１１と同様に枠組みされており、その枠内に遊技機２と遊技媒体貸機３を対として複数並設している。
【００２３】
下段ユニット１３も、上段ユニット１１、中段ユニット１２と同様に枠組みされており、内部に貯溜・搬送装置６が配設されている。この貯溜・搬送装置６は、島端側からエンドタンク６１、傾斜リフタ６２、アウトレール６３、バランスタンク６４と連設され、このバランスタンク６４が研磨・揚送装置７に接続されている。尚、右側の遊技機島１Ｒは、貯溜・搬送装置６と島端までの長さが短いので、傾斜リフタ６２は、設けられていない。
【００２４】
エンドタンク６１は、下段ユニット１３の島端側に配設されており、水平搬送装置４の島端とエンドホース６５で連通されている。そして、水平搬送装置４からの残余遊技媒体９を取り入れる。このとき、水平搬送装置４端部に設けられたシャッタ４６は、開放されている。このシャッタ４６を閉じれば水平搬送装置４の内部に遊技媒体が貯留されていく。
【００２５】
傾斜リフタ６２はエンドタンク６１の内部に貯留された残余遊技媒体９を、底側部分から順にアウトレール６３の上部に揚送する。これにより、エンドタンク６１の下側に残余遊技媒体９が留まって死に玉になるのを防止している。
【００２６】
前述のアウトレール６３は、エンドタンク６１から傾斜リフタ６２で揚送された残余遊技媒体９をアウトレール６３の底面の傾斜を利用してバランスタンク６４に流下させる。そして、このアウトレール６３の内部には、制御手段である上限検出器８３が配設されている。この上限検出器８３は、例えば、リミットスイッチであり、アウトレール６３内の残余遊技媒体９の量が一定以上の水準に達するとＯＮして、研磨・揚送装置７を稼動させ、バランスタンク６４に貯留されている残余遊技媒体９を上部貯留タンク５に研磨・揚送してアウトレール６３内の残余遊技媒体９を減少させる。これにより、遊技媒体が遊技機２内に溜まり玉詰まりを起すことを防止している。
【００２７】
バランスタンク６４は、残余遊技媒体９を貯留し、研磨・揚送装置７に投入する。なお、この残余遊技媒体９は、エンドタンク６１から傾斜リフタ６２で揚送され、アウトレール６３から流下された遊技媒体と遊技機２からアウトレール６３に流下された遊技媒体ならびに上部貯留タンク５からオーバフローしてオーバフローホース５１を通過して流下された遊技媒体および当初にエンドタンク６１、アウトレール６３、バランスタンク６４に投入された遊技媒体などである。
【００２８】
研磨・揚送装置７は、搭状のアウターケース７１の内部に配設されている。そして、下部で前述のバランスタンク６４と連通され、上部が上部貯留タンク５と連通している。この研磨・揚送装置７は、一般的に知られている装置であって、２枚の無端研磨ベルト７２の間に遊技媒体を挟持して、遊技媒体に付着している塵や埃、手垢を研磨（拭い去る）しながら遊技機島１の上部に配設されている上部貯留タンク５まで揚送している。
【００２９】
上部貯溜タンク５は、遊技機島１の途中に立設されている研磨・揚送装置７の上端を内包するようにして、遊技機島１の上部に配設されている。そして、この上部貯溜タンク５は、研磨・揚送装置７を境として左右に分割されている遊技機島１Ｌと遊技機島１Ｒに各々配設されている水平搬送装置４へ遊技媒体を供給するための供給口５２と上部貯溜タンク５に充満した遊技媒体をオーバフローホース５１からバランスタンク６４に流下させるための排出口５３が形成されている。
【００３０】
制御手段８は、遊技媒体補給システム１００を構成している各構成体の要部に配設されている検出器と、該検出器から発信された信号によって水平搬送装置４ならびに研磨・揚送装置７の駆動制御部（図示しない）より構成されている。具体的には、遊技機２ならびに遊技媒体貸機３の遊技媒体供給側に配設された補給要求検出器８１と上部貯留タンク５に配設された貯留量検出器８２ならびにアウトレール６３に配設された上限検出器８３の組み合わせによって、水平搬送装置４ならびに研磨・揚送装置７の駆動を制御するものである。
【００３１】
補給要求検出器８１は、遊技機２および遊技媒体貸機３に貯留されている遊技媒体が減少し、補給を必要とした状態を検知するもので、例えば、リミットスイッチが用いられるが、特に、リミットスイッチに限定されるものではなく、要は、補給を必要とした状態を検知するものであれば他の検出器を用いても良い。この補給要求検出器８１は、遊技機２および遊技媒体貸機３への遊技媒体供給側に配設されている。例えば、図３に示されている補給シュート４３の排出管４３ａに取り付けられている。この実施例では、遊技機２に遊技媒体を補給する補給シュート４３（矢印ａ）と遊技媒体貸機３に遊技媒体を補給する補給シュート４３（矢印ｂ）に各々取り付けてあるが、補給シュート４３を遊技機２に補給する専用部品として構成し、その先で、遊技媒体貸機３へ補給するルートを分岐して、切り換える構成とすれば、補給要求検出器８１は半分の数で済むことになる。また、補給要求検出器８１を図４に示したように遊技機２の裏面に設けられている遊技媒体貯留用の上皿２１付近に付けることもできる。（図中８１１
2008142216.tif 000003
、二点鎖線部分８１２など）
【００３２】
貯留量検出器８２は、本来は、水平搬送装置４の内部に貯留されている遊技媒体の量を検知することを目的としているが、従来例のように、補給樋が傾斜していれば、遊技媒体は、補給樋の島端側に設けられているシャッタを基準として順次密に重積されてくるので容易に遊技媒体の量を検知することができるが、本発明のように遊技媒体を水平に搬送するような機構では、遊技媒体は、水平搬送装置４の内部で散乱した状態となっていて、実際上、遊技媒体の量を検知することは困難であった。これに替わるものとして、本発明では、貯留量検出器８２を上部貯留タンク５に設けたものである。即ち、上部貯留タンク５内に遊技媒体が、貯留量検出器８２以上に貯留されていれば、しばらく研磨・揚送装置７を稼動させて、残余遊技媒体９をバランスタンク６４から上部貯留タンク５内に補給することなく、水平搬送装置のみを稼動しても、遊技機２および遊技媒体貸機３に遊技媒体を支障なく補給することができる。
【００３３】
上限検出器８３は、遊技機２から流下する分の残余遊技媒体９が収集されるアウトレール６３の内部で、かつ上方部分に取り付けられている。そして、各部分から流下した残余遊技媒体９と合流して貯溜・搬送装置６内に貯留された残余遊技媒体９が増加して、前述の上限検出器８３に達すると、この上限検出器８３がＯＮして、研磨・揚送装置７を稼動させて、バランスタンク６４内に貯留されている残余遊技媒体９を上部貯留タンク５まで揚送する。この研磨・揚送装置７の稼動により、アウトレール６３内の残余遊技媒体９が減少する。これにより、遊技機２から流下する残余遊技媒体９がアウトレール６３に流下しきれずに遊技機２まで逆流して遊技機２が遊技媒体詰まりを起すことも無い。
【００３４】
次に、本発明の遊技媒体補給システム１００のフローを図５と図６を参照して説明する。スタート前に、水平搬送装置４と研磨・揚送装置７を稼動させ、あらかじめ貯溜・搬送装置６内に貯留されている遊技媒体を全体に行き渡らせる。当然、上部貯留タンク５の内部には、オーバフローしない程度でかつ貯留量検出器８２より上まで貯留され、各遊技機２および遊技媒体貸機３にも遊技媒体が行き渡っている。このとき、各検出器と島端などに設けた表示装置（図示しない）とを接続しておけば、各検出器が正常に機能しているかを容易に確認することができ、保守、点検を容易に実施することができる。
【００３５】
図５は、遊技媒体の補給制御の流れを示したフローチャート図である。先ず、補給信号の有無を確認する。（ｓｔ１）補給信号あり（Ｙ）の場合には、水平搬送装置４の稼動を確認する。（ｓｔ２）水平搬送装置４の稼動中の場合には、研磨・揚送装置７の稼動を確認する。（ｓｔ３）研磨・揚送装置７の稼動中の場合には、遊技媒体を補給してＥＮＤ。ｓｔ１で補給信号なしの場合には、水平搬送装置４ならびに研磨・揚送装置７の稼動が停止状態に有るかを確認する。（ｓｔ４）水平搬送装置４ならびに研磨・揚送装置７の稼動が停止状態にあればＥＮＤ。水平搬送装置４ならびに研磨・揚送装置７が稼動中の場合には、停止してＥＮＤ。次に、ｓｔ２で水平搬送装置４が未稼動の場合には、貯留量検出器８２で上部貯溜タンク５の遊技媒体貯留量が充分か確認する。（ｓｔ５）遊技媒体貯留量が充分な場合には、水平搬送装置４を稼動して遊技媒体を補給してＥＮＤ。遊技媒体貯留量が不充分な場合には、研磨・揚送装置７を稼動した後に、水平搬送装置４を稼動して遊技媒体を補給してＥＮＤとする。従って、補給信号の無い場合には、水平搬送装置４ならびに研磨・揚送装置７は停止状態にある。
【００３６】
図６は、残余遊技媒体がアウトレール６３で上限に達した場合の制御の流れを示したフローチャート図である。先ず、上限検出器８３による上限信号発信の有無を確認する。（ｓｔ１）上限信号あり（Ｙ）の場合には、研磨・揚送装置７の稼動中か否かを確認する。（ｓｔ２）研磨・揚送装置７が稼動中の場合にはそのままＥＮＤ。ｓｔ１で上限信号発信がない（Ｎ）場合には、やはり、研磨・揚送装置７の稼動中か否かを確認する。（ｓｔ３）研磨・揚送装置７が稼動中の場合には、補給信号の有無を確認する。ｓｔ２で研磨・揚送装置７が未稼動（Ｎ）の場合には、研磨・揚送装置７を稼動させてからＥＮＤとする。（ｓｔ３）で研磨・揚送装置７が未稼働の場合には、そのままの状態でＥＮＤとする。ｓｔ４で補給信号が有る場合には、研磨・揚送装置７を稼動中のままＥＮＤとする。また、ｓｔ４で補給信号がない場合には、研磨・揚送装置７を停止してＥＮＤとする。
【００３７】
次に、本発明の遊技媒体補給システム１００の遊技媒体循環サイクルについて説明する。先ず、水平搬送装置４と研磨・揚送装置７を稼動させ、あらかじめ貯溜・搬送装置６内に貯留されている遊技媒体をバランスタンク６４→研磨・揚送装置７→上部貯留タンク５→水平搬送装置４→シャッタ４６→エンドホース６５→エンドタンク６１→傾斜リフタ６２→アウトレール６３→バランスタンク６４と初期循環させる。この循環サイクルの途中で、水平搬送装置４から補給シュート４３を介して遊技機２および遊技媒体貸機３に遊技媒体を補給する。この時点で、制御手段８（補給要求検出器８１、貯留量検出器８２、上限検出器８３のチェックが行なわれる。
【００３８】
遊技が開始されて、遊技機２および遊技媒体貸機３から補給要求検出器８１を介して補給信号が発信されると、水平搬送装置４が駆動して、補給信号を発信した遊技機２および遊技媒体貸機３に補給シュート４３を介して遊技媒体を補給する。このとき、水平搬送装置４の島端側に設けられたシャッタ４６をクローズしておくと、遊技媒体は、搬送レール４１内に滞留することとなり、より効果的に補給シュート４３に送り込まれる。尚、該シャッタ４６をオープン状態にしておいても補給シュート４３へ遊技媒体は送り込まれる。従って、特に、該シャッタ４６を設けずに遊技媒体を遊技機島１内に循環させる構成にしても良い。
【００３９】
残余遊技媒体９の内、水平搬送装置４の島端から流出した遊技媒体は、エンドホース６５を介してエンドタンク６１に流下する。遊技機２から流下した遊技媒体は、アウトレール６３に集約される。また、上部貯留タンク５からオーバフローした遊技媒体は、オーバフローホース５１を介して、バランスタンク６４に流下する。いずれにしても、残余遊技媒体９は、貯溜・搬送装置６を還流し、再度、研磨・揚送装置７で清掃された状態で遊技機島１内を循環する。
【図面の簡単な説明】
【００４０】
【図１】本発明の遊技媒体循環システムを示した正面図である。
【図２】本発明の遊技媒体循環システムを示した上面図である。
【図３】本発明の遊技媒体循環システムを示した要部斜視図である。
【図４】補給要求検出器の別の取付け状態を示した斜視図である。
【図５】補給要求検出器の検出フローを示したフローチャート図である。
【図６】上限検出器の検出フローを示したフローチャート図である。
【符号の説明】
【００４１】
１００  遊技媒体補給システム
１  遊技機島
１１  上段ユニット
１２  中段ユニット
１３  下段ユニット
２  遊技機
２１  上皿
３  遊技媒体貸機
４  水平搬送装置
４１  搬送レール
４１ａ  底壁
４１ｂ  側壁
４１ｃ  切り欠き
４２  回転ディスク
４３  補給シュート
４４  ガイド
４５  蛇腹管
４６  シャッタ
５  上部貯留タンク
５１  オーバフローホース
５２  供給口
５３  排出口
６  貯溜・搬送装置
６１  エンドタンク
６２  傾斜リフタ
６３  アウトレール
６４  バランスタンク
６５  エンドホース
７  研磨・揚送装置
７１  アウターケース
７２  無端研磨ベルト
８  制御手段
８１  補給要求検出器
８１１  補給要求検出器（図４）
８１２  補給要求検出器（図４）
８２  貯留量検出器
８３  上限検出器
９  残余遊技媒体
【図１】
2008142216.tif 000004
【図２】
2008142216.tif 000005
【図３】
2008142216.tif 000006
【図４】
2008142216.tif 000007
【図５】
2008142216.tif 000008
【図６】
2008142216.tif 000009